(57)【要約】【課題】出入りが自由な開口部を開閉する開き扉の開閉装置において、開き扉の外側に出っ張りをなくして一面フラットな見栄えの良い壁構造体を得る。【解決手段】開閉装置Ｒは、開き扉Ｄを、閉時はキャッチ手段２０で引き寄せて閉位置に保持する一方、開時は開き扉の外側から梃子部材３０を操作してキャッチ手段による開き扉の引き寄せを解除する。梃子部材は、開き扉の戸先側框部１１に、その戸先側框部と隣接する袖パネルｗ１間の目地部１５において、支点部３９の枢軸３９ｃを支点として回転可能に取り付け、開時は基端側の力点部１９に有する手掛り部分１９ａを持って回転し、先端の作用点部２９を袖パネルに押し当てると、梃子の原理によりキャッチ手段による開き扉の引き寄せを解除する。【選択図】          図１
2014058826.tif 000002
【特許請求の範囲】
【請求項１】
パネルを列設して外側を面一に構築した壁構造体の開口部を開閉する開き扉を、閉時はキャッチ手段で引き寄せて閉位置に保持する一方、開時は開き扉の外側から梃子部材を操作してキャッチ手段による開き扉の引き寄せを解除する開き扉の開閉装置であって、
梃子部材は、開き扉の戸先側框部に、その戸先側框部と隣接する袖パネル間の目地部において、支点部の枢軸を支点として回転可能に取り付け、開時は基端側の力点部に有する手掛り部分を持って回転し、先端の作用点部を袖パネルに押し当てると、梃子の原理によりキャッチ手段による開き扉の引き寄せを解除してなることを特徴とする、開き扉の開閉装置。
【請求項２】
前記梃子部材は、細長い板状の操作レバーの基端側に屈曲した前記手掛り部分を有する前記力点部を形成する一方、先端に前記作用点部を形成すると共に、作用点部に近くて力点部から離れた手掛り部分とは反対側の側縁寄りに前記枢軸を設けて前記支点部を形成し、操作レバーを、前記目地部において、手掛り部分が前記開き扉の戸先側框部の外側角縁に係止して振れ止め状態で垂下してなることを特徴とする、請求項１に記載の開き扉の開閉装置。
【請求項３】
前記キャッチ手段は、それぞれ先端に回転自在に枢支した互いのローラが押し合う方向に弾発付勢した一対のアームを回動可能に備えるキャッチ本体と、キャッチ本体に対応する数のストライクからなり、開いた前記開き扉を外側から押して閉じると、ストライクの先端に有する凸部が弾発付勢力に抗してキャッチ本体のローラ間に押し込まれ、ストライクをローラで抜け止め保持してなることを特徴とする、請求項１又は２に記載の開き扉の開閉装置。
【請求項４】
前記キャッチ手段はマグネットを備え、閉時、開いた前記開き扉を外側から押して閉じると、マグネットの磁力で開き扉を吸着することにより閉位置に引き寄せて保持してなることを特徴とする、請求項１又は２に記載の開き扉の開閉装置。
【発明の詳細な説明】
【技術分野】
【０００１】
本発明は、パネルを列設して面一に構築した壁構造体の開口部を開閉する開き扉を、閉時に施錠はしないが、風圧などで自然に開かないように閉位置にしっかり保持する一方、開時は自由に出入りできるように開き扉の外側から簡単に開けるのに好適な開き扉の開閉装置に関する。
【背景技術】
【０００２】
最近のビル建築物では、多数の金属製パネルを列設して出っ張りなく一面フラットな室内壁を形成するために、その壁の開口部を開閉する開き扉も、開口部を出入りする用途に関係なく、ドアハンドルなどの突起物が外側に出っ張らず一見して壁のように見える美的外観であることが要請されている。
【０００３】
その種の開き扉の中には、例えば電気・ガス・水道メータ等のメータボックスのある検針室の出入口のように、誰でも自由に出入りする開口部を開閉する開き扉がある。従来、この開き扉の開閉装置は、例えば図１０および図１１に示すように、閉時は施錠はしないが、風圧などで自然に開かないように、開き扉１側に取り付けた掛金２の先端を袖パネル３側の受金４に掛けて閉位置にしっかり保持する一方、開時は、開口部５を自由に出入りできるように、開き扉１の外側から、ホップハンドル６を持ち上げて回動すると、掛金２が連動して回転し、掛金２の先端が受金４から外れて開き扉１が開けられる構造になっている。
【先行技術文献】
【特許文献】
【０００４】
【特許文献１】特開平９−１００６５７号公報
【発明の概要】
【発明が解決しようとする課題】
【０００５】
しかし、出入りが自由な開口部５を開閉する従来の開き扉の開閉装置では、ホップハンドル６や、その取付プレート７が開き扉１の外側板面１ａに出っ張りとなって露出しているため、その種の開き扉１を幾つも備えた壁構造体の見栄えが低下するという課題があった。
【０００６】
そこで、本発明は、出入りが自由な開口部を開閉する開き扉の開閉装置において、開き扉の外側に出っ張りをなくして一面フラットな見栄えの良い壁構造体を得ることにある。
【課題を解決するための手段】
【０００７】
そこで、請求項１に記載の発明は、たとえば以下に示す図示実施の形態のとおり、パネルｗ１・ｗ２・ｗ３を列設して外側を面一に構築した壁構造体Ｗの開口部Ｓを開閉する開き扉Ｄを、閉時はキャッチ手段２０で引き寄せて閉位置に保持する一方、開時は開き扉Ｄの外側から梃子部材３０を操作してキャッチ手段２０による開き扉Ｄの引き寄せを解除する開き扉の開閉装置Ｒであって、梃子部材３０は、開き扉Ｄの戸先側框部１１に、その戸先側框部１１と隣接する袖パネルｗ１間の目地部１５において、支点部３９の枢軸３９ｃを支点として回転可能に取り付け、開時は基端側の力点部１９に有する手掛り部分１９ａを持って回転し、先端の作用点部２９を袖パネルｗ１に押し当てると、梃子の原理によりキャッチ手段２０による開き扉Ｄの引き寄せを解除してなることを特徴とする。
【０００８】
請求項２に記載の発明は、請求項１に記載の開き扉の開閉装置Ｒにおいて、たとえば以下に示す図示実施の形態のとおり、前記梃子部材３０は、細長い板状の操作レバー４０の基端側に屈曲した前記手掛り部分１９ａを有する前記力点部１９を形成する一方、先端に前記作用点部２９を形成すると共に、作用点部２９に近くて力点部１９から離れた手掛り部分１９ａとは反対側の側縁１８寄りに前記枢軸３９ｃを設けて前記支点部３９を形成し、操作レバー４０を、前記目地部１５において、手掛り部分１９ａが前記開き扉Ｄの戸先側框部１１の外側角縁１１ｃに係止して振れ止め状態で垂下してなることを特徴とする。
【０００９】
請求項３に記載の発明は、請求項１又２に記載の開き扉の開閉装置Ｒにおいて、たとえば以下に示す図示実施の形態のとおり、前記キャッチ手段２０は、それぞれ先端に回転自在に枢支した互いのローラ２３ａが押し合う方向に弾発付勢した一対のアーム２３を回動可能に備えるキャッチ本体２５と、キャッチ本体２５に対応する数のストライク３５からなり、開いた前記開き扉Ｄを外側から押して閉じると、ストライク３５の先端に有する凸部３５ａが弾発付勢力に抗してキャッチ本体２５のローラ２３ａ間に押し込まれ、ストライク３５をローラ２３ａで抜け止め保持してなることを特徴とする。
【００１０】
請求項４に記載の発明は、請求項１又は２に記載の開き扉の開閉装置Ｒにおいて、たとえば以下に示す図示実施の形態のとおり、前記キャッチ手段２０はマグネットＭを備え、閉時、開いた前記開き扉Ｄを外側から押して閉じると、マグネットＭの磁力で開き扉Ｄを吸着することにより閉位置に引き寄せて保持してなることを特徴とする。
【発明の効果】
【００１１】
請求項１に記載の発明は、キャッチ手段で開き扉を閉位置に引き寄せて保持する閉時は、開き扉の外側板面にドアハンドルやホップハンドルのような突起物が全く設けられないので、一見すると開き扉も壁構造体の一部のように見える壁一面フラットな美観外観を得ることができる。一方で、閉じた開き扉を外側から開けるときは、目地部から外部に臨む力点部の手掛り部分を持って、梃子部材を、目地部において、支点部の枢軸を支点として回転して作用点部が袖パネルに押し当たると、梃子の原理により、キャッチ手段による引き寄せが解除され、開き扉を袖パネルから突き離して簡単に開けることができる。
【００１２】
請求項２に記載の発明によれば、梃子部材は、開き扉の戸先側框部と袖パネル間の目地部において、開き扉の戸先側框部に操作レバーを支点部の枢軸を支点として回転可能に取り付けると、重力により手掛り部分が開き扉の戸先側框部の外側角縁に係止することにより、振れ止め状態で開き扉の戸先側框部の高さ方向に沿って垂下することができる。
【００１３】
請求項３に記載の発明によれば、閉時、開いた開き扉を外側から押して閉じると、キャッチ手段のストライクの先端凸部が弾発付勢力に抗してキャッチ本体のローラ間に押し込まれ、ストライクを抜け止めすることにより、開き扉を閉位置に引き寄せて、風圧などで自然に開かないようにしっかり保持することができる。
【００１４】
請求項４に記載の発明によれば、閉時、開いた開き扉を外側から押して閉じると、キャッチ手段のマグネットの磁力で開き扉を吸着することにより閉位置に引き寄せて、風圧などで自然に開かないようにしっかり保持することができる。
【図面の簡単な説明】
【００１５】
【図１】本発明の一例である開き扉の開閉装置により開き扉を開く動作を３段階に分けて示す平面図である。
【図２】同開閉装置を適用した壁構造体を開き扉の閉状態で示す斜視図である。
【図３】同開閉装置を適用した壁構造体の内部構造を開き扉の閉状態で示す斜視図である。
【図４】同開閉装置により開き扉を開く動作を３段階に分けて示す側面図である。
【図５】同開閉装置の梃子部材を示す分解斜視図である。
【図６】同開閉装置により開き扉を開く動作を３段階に分けて示す斜視図である。
【図７】同開閉装置を適用した壁構造体を開き扉の開状態で示す斜視図である。
【図８】他例の開閉装置を適用した壁構造体を開き扉の閉状態で示す斜視図である。
【図９】他例の開閉装置を適用した壁構造体を開き扉の開状態で示す斜視図である。
【図１０】従来の開閉装置を備えた壁構造体を開き扉の閉状態で示す斜視図である。
【図１１】従来の開閉装置を備えた壁構造体を開き扉の開状態で示す斜視図である。
【発明を実施するための形態】
【００１６】
以下、図面を参照しつつ、本発明の実施の形態について説明する。
【００１７】
図１は、本発明の一例である開き扉の開閉装置により開き扉を開く動作を３段階に分けて示し、図２および図３は同開閉装置を適用した壁構造体を示す。図示例の壁構造体Ｗは、パネルｗ１・ｗ２・ｗ３…を列設して面一に構築した室内壁で、両側の袖パネルｗ１・ｗ３に対して中間のパネルｗ２を、例えば電気・ガス・水道メータ等のメータボックスのある検針室の出入口のように、誰でも自由に出入りする開口部Ｓを開閉する開き扉Ｄで形成する。パネルｗ１・ｗ２・ｗ３…は、それぞれ鉄板の両端をクランク状に折り返して框部を形成し、隣り合う框部相互の継目に、外側から内側が臨めないように屈曲した細長い立て目地が形成されている。
【００１８】
壁構造体Ｗの袖パネルｗ１は、開き扉Ｄ側の框部１０に、断面Ｌ状に屈曲して閉時に開き扉Ｄの戸先側框部１１と対向する目地端面１０ａと、戸当り面１０ｂとを形成すると共に、戸当り面１０ｂから更に内側に断面Ｌ状に屈曲して目地端面１０ａと平行な取付面１０ｃを形成する。袖パネルｗ１には、開き扉Ｄ側の框部１０に高さ方向に細長い鉄板からなるスペーサ１３を接着し、開き扉Ｄの戸先側框部１１と袖パネルｗ１間に形成される目地部１５の間隔ｄを一定に調整している。一方、開き扉Ｄは、戸先側框部１１に、閉時に袖パネルｗ１側の目地端面１０ａと対向する扉側の目地端面１１ａを形成すると共に、袖パネルｗ１の戸当り面１０ｂと対向する固定面１１ｂを設け、閉状態において、開口部Ｓに収まって壁構造体Ｗと面一になるように、吊元側框部１２を袖パネルｗ３に蝶番１６により回動自在に取り付ける。そこで、本発明の開閉装置Ｒは、開き扉Ｄと袖パネルｗ１間の目地部１５に沿って壁構造体Ｗの内側に設置する。
【００１９】
開閉装置Ｒは、閉時に開き扉Ｄを引き寄せて閉位置に保持するキャッチ手段２０と、開時にキャッチ手段２０による開き扉Ｄの引き寄せを解除する梃子部材３０とで構成する。
【００２０】
キャッチ手段２０は、図４でも示すように、袖パネルｗ１側に取り付ける複数のキャッチ本体２５と、開き扉Ｄ側に取り付けるキャッチ本体２５に対応する数のストライク３５からなる。キャッチ本体２５は、取付ケース２１内で軸支した支持軸２２でローラ２３ａを先端に回転自在に枢支した一対のアーム２３を回動可能に軸支する一方、常時は互いにローラ２３が押し合う方向に弾発付勢した構造になっている。一方、ストライク３５は、金属板を山形状に折り曲げて、キャッチ本体２５のローラ２３ａ間に押し込む先端の楕円筒状の凸部３５ａと、先端の凸部３５ａから裾状に拡がった両端の取付板部３５ｂとで形成してなる。
【００２１】
そこで、キャッチ手段２０は、キャッチ本体２５の取付ケース２１を、それぞれローラ２３ａを開き扉Ｄの外側正面に向けて袖パネルｗ１の取付面１０ｃにねじ止めすることにより、開き扉Ｄ側の框部１０に高さ方向上下両端に取り付ける。一方、ストライク３５は、それぞれ開き扉Ｄの固定面１１ｂにおいて、それぞれキャッチ本体２５と対応する取付高さにねじ止めする。
【００２２】
梃子部材３０は、図５に示すように、細長な金属板からなる操作レバー４０を備え、その操作レバー４０の図中下側の基端側に、略直角に屈曲した手掛り部分１９ａを設けて力点部１９を形成する一方、図中上側の先端側に、手掛り部分１９ａとは反対側の側縁１８側の角縁を面取りして円弧状の押し当て部分２９ａを設けて作用点部２９を形成すると共に、作用点部２９に近くて力点部１９から離れた側縁１８寄りに軸穴３９ａを開けた支点部３９を形成する。
【００２３】
そこで、梃子部材３０は、支点部３９の軸穴３９ａに軸受リング３９ｂを嵌着し、軸受リング３９ｂにネジの枢軸３９ｃを貫挿し、図１（Ａ）・図４（Ａ）・図６（Ａ）に示すように、開き扉Ｄの戸先側框部１１の目地端面１１ａにねじ込んで支点部３９を形成し、開き扉Ｄの戸先側框部１１と袖パネルｗ１の目地端面１０ａ・１１ａ間に形成される目地部１５において、支点部３９の枢軸３９ｃを支点として、操作レバー４０を回転可能に取り付けて構成する。すると、操作レバー４０は、重力により、手掛り部分１９ａが開き扉Ｄの戸先側框部１１の外側角縁１１ｃに係止して振れ止め状態で目地端面１１ａの高さ方向に沿って垂下される。
【００２４】
さて、上述した構成の開き扉の開閉装置Ｒでは、閉時、開いた開き扉Ｄを外側から押して閉じると、図４（Ａ）に示すように、キャッチ手段２０のストライク３５の先端凸部３５ａが弾発付勢力に抗してキャッチ本体２５のローラ２３ａ・２３ａ間に押し込まれ、ストライク３５を抜け止めすることにより、開き扉Ｄを、その固定面１１ｂが袖パネルｗ１の戸当り面１０ｂと対向する閉位置に引き寄せて、風圧などで自然に開かないようにしっかり保持する。
【００２５】
従って、本発明の開き扉の開閉装置Ｒでは、キャッチ手段２０で開き扉Ｄを閉位置に引き寄せて保持した閉時は、開き扉Ｄの外側板面５０にドアハンドルやホップハンドルのような突起物が全く設けられないので、一見すると開き扉も壁構造体Ｗの一部のように見える壁一面フラットな美観外観を得ることができる。
【００２６】
一方、閉じた開き扉Ｄを、例えば検針室内側から開けるときは、開き扉Ｄを内側から押すと、図１（Ｂ）・（Ｃ）、図４（Ｂ）・（Ｃ）を参照すれば判るように、キャッチ手段２０のストライク３５の先端凸部３５ａが弾発付勢力に抗してキャッチ本体２５側のローラ２３ａ・２３ａ間から引き抜かれてキャッチ本体２５から外れ、キャッチ手段２０による引き寄せが解除され、開き扉Ｄは、図７に示すように簡単に押し開かれる。
【００２７】
反対に、閉じた開き扉Ｄを外側から開けるときは、図１（Ｂ）・図４（Ｂ）・図６（Ｂ）に示すように、目地部１５から外部に臨む力点部１９の手掛り部分１９ａを持って、操作レバー４０を、狭い目地部１５において、支点部３９の枢軸３９ｃを支点として回転し、作用点部２９の押し当て部分２９ａを袖パネルｗ１の戸当り面１０ｂに押し当てる。すると、梃子の原理により、キャッチ手段２０のストライク３５の先端凸部３５ａが弾発付勢力に抗してキャッチ本体２５側のローラ２３ａ・２３ａ間から引き抜かれてキャッチ本体２５から外れ、キャッチ手段２０による引き寄せが解除され、開き扉Ｄは、図１（Ｃ）・図４（Ｃ）・図６（Ｃ）に示すように袖パネルｗ１の框部１０から突き離されて、図７に示すように簡単に開くことができる。
【００２８】
上述した第１の実施形態では、キャッチ手段２０のキャッチ本体２５を袖パネルｗ１の開き扉側框部１０に設け、ストライク３５を開き扉Ｄの戸先側框部１１に設けたが、反対に、開き扉Ｄの戸先側框部１１にキャッチ本体を設け、袖パネルｗ１の開き扉側框部１０にストライクを取り付けて、キャッチ手段を構成するようにしてもよい。
【００２９】
ところで、上述した第１の実施形態において、キャッチ手段２０は、ストライク３５の先端凸部３５ａを弾発付勢力に抗してキャッチ本体２５のローラ２３ａ・２３ａ間に押し込んでストライク３５をローラ２３ａで抜け止め保持するローラキャッチ構造であった。しかし、本発明において、キャッチ手段は、開き扉を、閉位置に引き寄せて風圧などで自然に開かないようにキャッチするものであれば、ローラキャッチ構造に限らず、例えば磁気力を利用したり、粘着力を利用したり、面ファスナーを使ったりして開き扉を引き寄せて保持する構成にすることもできる。そこで、それら他例の中でも、磁気力を利用して開き扉を引き寄せて保持する構成について、以下に第２の実施形態として詳しく説明する。なお、第２の実施形態において、上記第１の実施形態における構成と同一の構成部分は、同じ符号を付して説明する。
【００３０】
第２の実施形態において、キャッチ手段２０は、図８および図９に示すように、複数のマグネット（磁石）Ｍを使用し、マグネットＭで吸着する開き扉Ｄを磁性体の鉄扉で構成する。マグネットＭは、袖パネルｗ１の開き扉側框部１０の取付面１０ｃにおいて、高さ方向に間隔を置いて接着する。なお、開き扉Ｄが木製などの磁性体でない場合は、マグネットＭの取付位置に対応する開き扉Ｄの固定面１１ｂに、磁性体からなる吸着片を接着する。
【００３１】
梃子部材３０は、支点部３９の枢軸３９ｃを開き扉Ｄの戸先側框部１１の目地端面１１ａにねじ込み、開き扉Ｄの戸先側框部１１と袖パネルｗ１の目地端面１０ａ・１１ａ間に形成される目地部１５において、枢軸３９ｃを支点として操作レバー４０を回転可能に取り付ける。すると、操作レバー４０は、重力により、手掛り部分１９ａが開き扉Ｄの戸先側框部１１の外側角縁１１ｃに係止して振れ止め状態で目地端面１１ａの高さ方向に沿って垂下される。
【００３２】
さて、第２の実施形態の開閉装置Ｒでは、閉時、開いた開き扉Ｄを外側から押して閉じると、図８に示すように、キャッチ手段２０のマグネットＭの磁力により開き扉Ｄを吸着して閉位置に引き寄せ、風圧などで自然に開かないようにしっかり保持する。
【００３３】
従って、第２の実施形態の開き扉の開閉装置Ｒにおいても、キャッチ手段２０のマグネットＭにより開き扉Ｄを閉位置に引き寄せて保持する閉時は、開き扉Ｄの外側板面５０にドアハンドルやホップハンドルのような突起物が全く設けられないので、一見すると開き扉Ｄも壁構造体Ｗの一部のように見える壁一面フラットな美観外観を得ることができる。
【００３４】
一方、閉じた開き扉Ｄを、例えば検針室内側から開けるときは、開き扉Ｄを内側から押すと、キャッチ手段２０のマグネットＭから磁力に抗して開き扉Ｄが外れて、キャッチ手段２０による引き寄せが解除され、簡単に開き扉Ｄは、図９に示すように押し開かれる。
【００３５】
反対に、閉じた開き扉Ｄを外側から開けるときは、図８に示すように、目地部１５から外部に臨む力点部１９の手掛り部分１９ａを持ち上げて、操作レバー４０を、狭い目地部１５において、支点部３９の枢軸３９ｃを支点として回転し、作用点部２９の押し当て部分２９ａをパネルｗ１の戸当り面１０ｂに押し当てる。すると、梃子の原理により、キャッチ手段２０のマグネットＭから磁力に抗して開き扉Ｄが外れて、キャッチ手段２０による引き寄せが解除され、簡単に開き扉Ｄを、図９に示すように開くことができる。
【００３６】
ところで、上述した第２の実施形態では、キャッチ手段２０のマグネットＭを袖パネルｗ１の開き扉側框部１０に設け、開き扉Ｄを磁性体の鉄扉としたが、反対に、開き扉Ｄの戸先側框部１１にマグネットＭを接着し、袖パネルｗ１を磁性体にして、キャッチ手段２０を構成するようにしてもよい。
【符号の説明】
【００３７】
Ｄ                開き扉
Ｍ                マグネット
Ｒ                開閉装置
Ｓ                開口部
Ｗ                壁構造体
１５              目地部
１９              力点部
１９ａ            手掛り部分
２０              キャッチ手段
２５              キャッチ本体
２９              作用点部
３０              梃子部材
３５              ストライク
３９              支点部
３９ｃ            枢軸
【図１】
2014058826.tif 000003
【図２】
2014058826.tif 000004
【図３】
2014058826.tif 000005
【図４】
2014058826.tif 000006
【図５】
2014058826.tif 000007
【図６】
2014058826.tif 000008
【図７】
2014058826.tif 000009
【図８】
2014058826.tif 000010
【図９】
2014058826.tif 000011
【図１０】
2014058826.tif 000012
【図１１】
2014058826.tif 000013